(57)【特許請求の範囲】
【請求項１】
生体電気インピーダンスを測定するためのインピーダンス測定手段と、
該測定された生体電気インピーダンス値を記憶するためのインピーダンス記憶手段と、
該インピーダンス記憶手段に記憶された生体電気インピーダンス値の推移に基づいて、婦人の体調を、月周期で現れる体調の各期間たる第一の期間（月経期）、第二の期間（好調期）、第三の期間（維持期）、第四の期間（不調期）として判定し、及び前記各期間の判定に際し、第二の期間から第三の期間への変化を、第一の期間の次の日からの生体電気インピーダンス値の平均値に対して、前記平均値の４％以上低い生体電気インピーダンス値が発生した日を、高生体電気インピーダンス期間（高ＢＩ期間）たる第二の期間から低生体電気インピーダンス期間（低ＢＩ期間）たる第三の期間への変化として判定する体調判定手段と、
該体調判定手段で判定された体調の期間に基づいて、第一の期間及び第二の期間を生体電気インピーダンスの高値期とし、第三の期間及び第四の期間を生体電気インピーダンスの低値期として月周期を分割し、高値期と低値期とのそれぞれにおける生体電気インピーダンス値の平均値を算出する演算手段と、
記憶されている過去の生体電気インピーダンス値の推移をグラフで表示する表示手段とを備え、
該表示手段は算出された生体電気インピーダンス値の高値期と低値期とのそれぞれにおける生体電気インピーダンス値の平均値のラインをグラフ上に表示することを特徴とするグラフ表示式婦人用体調管理装置。
【請求項２】
前記表示手段に表示されるグラフは、横軸を時間軸とし、縦軸を生体電気インピーダンス値軸としてあり、縦軸の上側が生体電気インピーダンスの低値に、縦軸の下側が生体電気インピーダンスの高値に設定され、測定された生体電気インピーダンス値が高い場合にはグラフは低い表示となり、生体電気インピーダンス値が低い場合にはグラフが高い表示となることを特徴とする請求項１記載のグラフ表示式婦人用体調管理装置。
【請求項３】
前記表示手段は、該体調判定手段において判定された現在の体調もグラフと同時に表示することを特徴とする請求項１または請求項２に記載のグラフ表示式婦人用体調管理装置。
【請求項４】
該体調判定手段において判定された体調を記憶しておく体調記憶手段を更に備え、
前記表示手段は、体調記憶手段に記憶された過去の体調の各期間を、前記記憶されている過去の生体電気インピーダンス値の推移と共にグラフ上に表示することを特徴とする請求項１または請求項２に記載のグラフ表示式婦人用体調管理装置。
【請求項５】
前記インピーダンス記憶手段に記憶された生体電気インピーダンス値の推移から、基礎体温の高温期間と低温期間を推測する体温推測手段を備え、
該推測された基礎体温の高温期間と低温期間もグラフ上に表示する請求項１または請求項２に記載のグラフ表示式婦人用体調管理装置。
【請求項６】
生体電気インピーダンスを測定するためのインピーダンス測定手段と、
該測定された生体電気インピーダンス値を記憶するためのインピーダンス記憶手段と、
該インピーダンス記憶手段に記憶された生体電気インピーダンス値の推移に基づいて、婦人の体調を、月周期で現れる体調の各期間たる第一の期間（月経期）、第二の期間（好調期）、第三の期間（維持期）、第四の期間（不調期）として判定し、及び前記各期間の判定に際し、第二の期間から第三の期間への変化を、第一の期間の次の日からの生体電気インピーダンス値の平均値に対して、前記平均値の４％以上低い生体電気インピーダンス値が発生した日を、高生体電気インピーダンス期間（高ＢＩ期間）たる第二の期間から低生体電気インピーダンス期間（低ＢＩ期間）たる第三の期間に変化したとして判定する体調判定手段と、
記憶されている過去の生体電気インピーダンス値を、該体調判定手段で判定された体調の期間に基づいて、第一の期間及び第二の期間を生体電気インピーダンスの高値期とし、第三の期間及び第四の期間を生体電気インピーダンスの低値期として月周期を分割し、月周期毎に前記高値期と低値期とのそれぞれにおける生体電気インピーダンス値の平均値を算出する演算手段と、
該演算手段で算出された生体電気インピーダンス値の月周期毎の低値期と高値期とのそれぞれにおける生体電気インピーダンス値の平均値を一単位とし、複数回の周期における平均値の推移をグラフで表示する表示手段とを備えることを特徴とするグラフ表示式婦人用体調管理装置。
【発明の詳細な説明】
【０００１】
【発明の属する技術分野】
本発明は、排卵期、ＰＭＳ期、月経期、妊娠可能期等の婦人の月周期で現れる体調を判定するための婦人用体調管理装置の表示に関するものである。
【０００２】
【従来の技術】
婦人の月周期で現れる体調は基礎体温と密接な関係を有しており、排卵日を境に基礎体温は、低温期から高温期に推移し、月経開始日を境に低温期から高温期に徐々に推移するということが知られている。更に、この女性の１ヶ月の体調変化は一般的に月経中、月経後、排卵後、月経前の４つの期間に分けて説明され、実際にその期間毎に精神と身体が微妙に変化すると言われる。この体調の変化と基礎体温の関係を利用し、基礎体温を測定することで、婦人の排卵期や月経周期を判定する婦人用体温計が普及している。
【０００３】
この婦人用体温計の機能として、測定された毎日の基礎体温をグラフで表示するものがある。これは基礎体温をグラフで表示することで、高温期と低温期が分かれる二相性が生じているかも解り易いものであった。
【０００４】
この二相性が生じていることは、体調が正常に推移している証であり、利用者に自分の身体状況・体調のリズムを把握する上で有用であった。
【０００５】
また基礎体温の変化を表に記した基礎体温表は医療現場においても採用され、実際に基礎体温の推移からも専門医が種々の症状を判断している。
【０００６】
【発明が解決しようとする課題】
従来の基礎体温を測定して、その毎日の推移をグラフで表示することは健康管理上有用ではあるが、その測定自体が面倒なものであった。通常、毎日起床時に横臥位の静止した状態で数分間程度、口中に体温計を含み基礎体温を測定しなければならず非常に面倒であり、また測定してからグラフ表示するまでに長い時間を必要とするため、被測定者が再び眠ってしまい寝過ごしてしまう原因にもなっている。
【０００７】
また、起床時は一日の準備に何かと時間が必要であり、測定のための時間がない場合には測定を行わない日もあり、グラフで表示した場合にはデータがない日の表示が起きてしまうこともあった。そのような場合には、非常に見にくいグラフとなってしまう。
【０００８】
本発明は、このような問題点に鑑みてなされたものであり、婦人の月周期で現れる体調を簡単な測定から判断し、測定した結果を被測定者が理解しやすいように表示することで、自分の身体が正常に推移していることを認識させることである。
【０００９】
【課題を解決するための手段】
本発明のグラフ表示式婦人用体調管理装置は、生体電気インピーダンスを測定するためのインピーダンス測定手段と、該測定された生体電気インピーダンス値を記憶するためのインピーダンス記憶手段と、記憶されている過去の生体電気インピーダンス値の高値期と低値期におけるそれぞれの平均値を算出する演算手段と、記憶されている過去の生体電気インピーダンス値の推移をグラフで表示する表示手段とを備え、
該表示手段は算出された生体電気インピーダンス値の高値期と低値期における平均値のラインをグラフ上にそれぞれ表示する。
【００１０】
また、本発明のグラフ表示式婦人用体調管理装置は、生体電気インピーダンスを測定するためのインピーダンス測定手段と、該測定された生体電気インピーダンス値を記憶するためのインピーダンス記憶手段と、記憶されている過去の生体電気インピーダンス値の推移をグラフで表示する表示手段とを備え、
前記表示手段に表示されるグラフは横軸を時間軸とし、縦軸を生体電気インピーダンス値軸としてあり、縦軸の上側が生体電気インピーダンスの低値に、縦軸の下側が生体電気インピーダンスの高値に設定され、測定された生体電気インピーダンス値が高い場合にはグラフは低い表示となり、生体電気インピーダンス値が低い場合にはグラフが高い表示とする。
【００１１】
また、本発明のグラフ表示式婦人用体調管理装置は、前記インピーダンス記憶手段に記憶された生体電気インピーダンス値の推移から、婦人の月周期で現れる体調を判定する体調判定手段を更に備え、
該体調判定手段において判定された現在の体調も前記表示手段にグラフと同時に表示する。
【００１２】
また、本発明のグラフ表示式婦人用体調管理装置は、前記インピーダンス記憶手段に記憶された生体電気インピーダンス値の推移から、婦人の月周期で現れる体調を判定する体調判定手段と、該体調判定手段において判定された体調を記憶しておく体調記憶手段を更に備え、
体調記憶手段に記憶された過去の体調に応じた期間もグラフ上に表示する。
【００１３】
また、本発明のグラフ表示式婦人用体調管理装置は、前記インピーダンス記憶手段に記憶された生体電気インピーダンス値の推移から、基礎体温の高温期間と低温期間を推測する体温推測手段を備え、
該推測された基礎体温の高温期間と低温期間もグラフ上に表示する。
【００１４】
また、本発明のグラフ表示式婦人用体調管理装置は、生体電気インピーダンスを測定するためのインピーダンス測定手段と、該測定された生体電気インピーダンス値を記憶するためのインピーダンス記憶手段と、記憶されている過去の生体電気インピーダンス値を高値期と低値期に分けて婦人の月周期で現れる体調に基づき、月周期毎に平均値を算出する演算手段と、該演算手段で算出された生体電気インピーダンス値の月周期毎の低値期と高値期における平均値を一単位とし、複数回の周期における平均値をグラフで表示する表示手段とを備える。
【００１５】
【発明の実施の形態】
本願出願人は既に特願平１１−２５８５３８号の明細書において、生体電気インピーダンス（以下、ＢＩとする）測定を行なうことで婦人の月周期で現れる体調を判断することが可能な装置について提案した。この装置では、ＢＩ値は、基礎体温と密接な関係があり、基礎体温の低温期には高値を示し、高温期には低値を示し、また、月経直前から月経前半期には一時上昇後に低値を示すといったように周期的に推移する傾向があることから、婦人の月周期で現れる体調を判定することが可能である。
【００１６】
本発明の婦人用体調管理装置では、簡単に測定可能なＢＩ値を毎日測定し、その推移をグラフで表示することで、体調の変化が正常に起きているかを理解できるようにする。
【００１７】
【実施例】
本発明の一実施例を図面に基づいて説明する。
図１は、本発明の一実施例である婦人用体調管理装置の正面図である。図１に示す通り、婦人用体調管理装置１０は、体重計付き生体電気インピーダンス計２０と、この体重計付き生体電気インピーダンス計２０に電気ケーブル３０を介して接続された制御ボックス４０とから構成されている。本実施例では、体重計付き生体電気インピーダンス計２０と制御ボックス４０とは通常の電気ケーブル３０を介して相互に接続されているが、例えば赤外線や電磁波による無線通信を介して接続されても良い。
【００１８】
体重計付き生体電気インピーダンス計２０の上面には、定電流印加用電極２１ａ、２１ｂ及び電圧測定用電極２２ａ、２２ｂが設けられており、また、制御ボックス４０の前面には、電源スイッチ４１ａ、測定キー４１ｂ、アップキー４１ｃ、ダウンキー４１ｄ、月経開始日キー４１ｅ、設定キー４１ｆ、グラフキー４１ｇといった一群の操作キー、及び、表示装置４２が設けられている。
【００１９】
図２は、図１に示した婦人用体調管理装置１０の機能構成を示すブロック図である。図２に示されるように、体重計付き生体電気インピーダンス計２０には、定電流印加用電極２１ａ、２１ｂと、定電流印加用電極２１ａ、２１ｂに印加される高周波の微弱な定電流を生成するための高周波定電流回路２３と、電圧測定用電極２２ａ、２２ｂと、電圧測定用電極２２ａ、２２ｂ間の電圧を測定するためのインピーダンス測定手段である電圧測定回路２４と、被判定者の体重を測定するための体重測定手段である体重測定装置２５と、測定された電圧及び体重をＡ／Ｄ変換するためのＡ／Ｄ変換器２８とが備えられている。
【００２０】
また、制御ボックス４０には、測定開始の指示や月経期間データの入力等のための一群の操作キー４１ａから４１ｇを含む入力手段であるデータ入力装置４１と、測定されたＢＩの推移や判定された体調等を表示するための表示手段である表示装置４２と、測定日時等を計時するための時計装置４３と、測定されたＢＩや計時された測定日時及び判定された体調等を記憶しているインピーダンス記憶手段であり体調記憶手段である記憶装置４４と、入力装置４１によって入力された月経期間データや測定されたＢＩ及び体重等のデータに基づいて婦人の月周期で現れる体調を判定したり、記憶装置４４への各種データの記憶や表示装置４２への各種データの表示を制御したりするための演算手段及び体調判定手段であり、体温推定手段であるＣＰＵ４５とが備えられている。
【００２１】
本実施例では、各機能要素が上述のように体重計付き生体電気インピーダンス計２０と制御ボックス４０とに分離されているが、本発明はこれに限られず、例えばＣＰＵ４５は制御ボックス４０ではなく体重計付き生体電気インピーダンス計２０に備えられていても良く、また、体重計付き生体電気インピーダンス計１０と制御ボックス４０とが一体となった構成とされていても良い。
【００２２】
次に、上述したような実施例の婦人用体調測定装置の動作について詳述する。
図３は、本発明に係る婦人の月周期で現れる体調を判定するための手順を示すフローチャートである。ステップ１では、被判定者は電源スイッチ４１ａを押下して婦人用体調管理装置１０の電源をオンにする。ステップ２では、被判定者が設定キー４１ｆを押下したならば、婦人用体調管理装置１０は設定モードとなってステップ３に移る。
【００２３】
ステップ３では、現在の日時設定となる。アップキー４１ｃ及びダウンキー４１ｄを用いて表示装置４２に表示される現在日時を変更していく。変更された値は、再度設定キー４１ｆを押下することで決定される。更に、前回の月経開始日も同様に入力する。
【００２４】
ステップ４では、被測定者が測定キー４１ｂを押下したならば、婦人用体調管理装置１０は測定モードとなってステップ５に移り、押下しなければグラフ表示モードかの確認を行うステップ１３に移る。
【００２５】
ステップ５から、測定モードが始まる。被判定者が左足裏及び右足裏のつま先を定電流印加用電極２１ａ及び２１ｂにそれぞれ接触させ、また、左足裏及び右足裏のかかとを電圧測定用電極２２ａ、２２ｂにそれぞれ接触させて、体重計付き生体電気インピーダンス計２０に素足で乗ると、体重測定装置２５は重量を検知して被判定者の体重の測定を開始する。続いて、ステップ６では、高周波定電流回路２３によって生成された高周波の微弱な定電流が、定電流印加用電極２１ａ及び２１ｂを介して被判定者のつま先に印加され、被判定者の下腹部を含む両足間に流される。そして、電圧測定回路２４によって電圧測定用電極２２ａ、２２ｂ間の電圧が測定され、ＢＩが測定される。
【００２６】
ステップ７では、ステップ６で測定されたＢＩが、次に示すような補正式に基づいて補正される。
補正式１  ：  体重補正ＢＩ＝ＢＩ＋Ａ×初回に測定された体重との差異
補正式２  ：  体重補正ＢＩ＝ＢＩ＋Ｂ×前回測定された体重との差異
つまり体重補正ＢＩは、ＢＩから体重の増減に伴うＢＩの増減を減算もしくは加算することにより得られるものであり、補正式１もしくは補正式２から算出される。ここで、Ａ及びＢは補正係数である。これにより、体重変化の影響が除去された体重補正ＢＩが算定される。
【００２７】
ステップ８では、記憶装置４４から前日まで数日間の補正ＢＩ値および前日の体調、月経開始日等のデータがＣＰＵ４５に読み込まれる。
【００２８】
ステップ９ではＣＰＵ４５において、上述したようなＢＩと婦人の月周期で現れる体調との関係に基づいて、ステップ７で得られた今回測定された体重補正ＢＩとステップ８で記憶装置４４から読み込まれた前日まで数日間の測定された体重補正ＢＩおよび前日の体調、月経開始日データ等から被判定者が現在、どのような体調の期間であるか判定する。つまり第一の期間（月経期）、第二の期間（好調期）、第三の期間（維持期）、第四の期間（不調期）、及び第五の期間（妊娠可能期）の体調が判定される。
【００２９】
ここで、体調判定について説明する。但し、この判定例は月経周期が２８日周期の人の場合であり、月経周期は個人により異なるものであるので、各期間の日数は適宜変更していく。
【００３０】
図４は、ＢＩ値から各期間の判定方法を説明する図である。この場合、月経開始日から約７日間を第一の期間（月経期）とし、その次の日から、ＢＩ値が高値から低値に変化する日までを第二の期間（好調期）とし、ＢＩ値が低値に変化した日から約７日間を第三の期間（維持期）とし、その次の日から次の月経開始日までを第四の期間（不調期）とする。更にＢＩが高値から低値に変化する前後３日間を第五の期間（妊娠可能期）とする。このＢＩ値の変化の判定基準としては、過去の高ＢＩ期間における平均ＢＩ値の４％以上の低いＢＩ値が発生した時点で、高ＢＩ期間から低ＢＩ期間に変化したとする。
【００３１】
この被測定者の場合、高ＢＩ値期間の平均値は約５９０Ω、低ＢＩ値期間の平均値は約５６０Ωとなっている。従って５９０Ωの４％である２３．６Ω低い値の５６６．４Ω以下のＢＩ値が測定された時点で低ＢＩ値期間に推移したものとする。１５日目にその低ＢＩ値が現れたので、この日の前後３日間が妊娠可能期となる。
【００３２】
従って本発明の婦人用体調管理装置１０では、女性の月周期で現れる各期間を次のように判定する。
入力された月経開始日データの日にちを月経開始日とする。
月経開始日から一週間を第一の期間（月経期）とする。
その次の日から過去の第二の期間の平均ＢＩ値より４％低いＢＩ値が測定される前日までを第二の期間（好調期）とする。
その次の日から、過去のデータから推測される次の月経開始予定日の一週間前の日までを第三の期間（維持期）とする。
次の日から、次の月経開始日データが入力される日までを第四の期間（不調期）とする。
また、過去のデータに基づき、次回の月経開始予想日から遡って排卵日までの平均日数を求め、推定排卵日の前後３日間を第五の期間（妊娠可能期）とする。ここでは、月経開始予想日から１４日前を推定排卵日とする。但し、この第五の期間（妊娠可能期）は測定されたＢＩ値の高値期から低値期の変化を判定した時点で補正する。つまり、推定排卵日より早くこのＢＩ値の変化による排卵が判定された場合、その日から３日間を第五の期間（妊娠可能期）とする。逆に推定排卵日を過ぎてもＢＩ値の変化が生じない場合には、その間も継続的に第五の期間（妊娠可能期）とし、ＢＩ値の変化による排卵が判定されてから３日後までを第五の期間（妊娠可能期）とする。
【００３３】
以上のような判定方法に基づいて、被測定者が現在どの期間に該当するのかを判断する。尚、この体調判定は、一周期分の過去の測定ＢＩ値が揃うことで判定が可能であり、そのデータが揃うまでは判定を行わない。このような場合には、「データが足りません」といった内容のメッセージを表示装置４２に表示することとなる。
【００３４】
そして、ステップ１０では図５に示すように、判定された体調とＢＩ値の推移をグラフで表示装置４２に同時に表示する。表示する体調の判定結果としては、例えば第一の期間には月経中、第二の期間には好調期間、第三の期間には排卵終了や体調維持期、第四の期間には月経前や不調期あるいはＰＭＳ期、第五の期間には妊娠可能期といった体調が表示される。グラフ表示は、測定当日から２０日前までの毎日の測定されたＢＩ値が表示される。過去のＢＩ値が棒グラフで表示されており、今回の測定された値は中抜きの棒グラフとなっている。更に過去の測定された高値期及び低値期それぞれの平均値のラインも表示される。ここで平均値ラインとは、前述の体調判定における第一の期間及び第二の期間を高値期とし、第三の期間及び第四の期間を低値期として分割し、過去に測定されたインピーダンス値から算出したものである。この平均値ラインと測定されたＢＩ値の推移を比較することで、自身の過去と変わらず体調の推移が生じているかを把握しやすいものとなる。
【００３５】
ステップ１１では、今回測定された体重補正ＢＩや体重及び測定日等が記憶装置４４に記憶される。その後、ステップ１２で、自動的に電源がオフにされ、測定は終了する。
【００３６】
ステップ１３からグラフ表示モードとなる。グラフキー４１ｇが押下されているかを判断し、押されている場合にはステップ１４で図６に示すグラフが表示される。図６のグラフは、グラフ自体は図５に示したものと同様であるが、ステップ９の体調判定において判定された過去の各期間がグラフと同時に表示される。これにより、婦人の月周期で現われる体調の変化とＢＩ値の推移の関係が解り易いものとなる。
【００３７】
更にステップ１５でアップキー４１ｃ及びダウンキー４１ｄが押されているかを判断する。ここでダウンキー４１ｄが押された場合には、ステップ１６で図７に示すグラフに表示は切り替わる。ここで更にダウンキー４１ｄが押下されると図８に示すグラフに切り替わる。このようにステップ１５でダウンキー４１ｄが押下される毎に、ステップ１６で図６→図７→図８とグラフの表示形態が順次切り替わり、更にダウンキー４１ｄが押下されると図６のグラフへと戻る。一方、アップキー４１ｃが押された場合にはステップ１６で図６→図８→図７→図６と、ダウンキー４１ｄが押された場合と逆に表示形態が順次変化していく。
【００３８】
ここで図７に示すグラフは、縦軸のＢＩ値の設定を上側が低値、下側が高値としており、図５や図６に示すグラフと逆相に表示され、推定される基礎体温の低温期と高温期も表示している。ここで低温期は前述の体調判定において判定された第一の期間と第二の期間であり、高温期は第三の期間と第四の期間に相当する。
【００３９】
この場合、一般的に基礎体温の低温期にはＢＩ値もグラフ上では小さく見え、高温期にはＢＩ値がグラフ上では大きく見えるものとなる。これは普通、縦軸の上は値が高い設定に慣れているためである。これにより基礎体温を測定した場合には月経後に数値が低く、排卵後に数値が高くなる症状と同様の推移がグラフ上で認識することが可能となり、婦人用体温計を用いて基礎体温の測定を行い、その変化をグラフで見ることに慣れている人にとっては、体調の推移が理解しやすいものとなる。つまり基礎体温を測定している場合と同様の感覚でＢＩを測定し、その推移を判定できる。
【００４０】
また図８に示すグラフは、過去に測定されたＢＩ値から月周期毎に高値期と低値期に分けて平均値を算出し、算出された各月周期の高値期と低値期の平均値を一単位として複数期間同時にグラフ表示される。これにより各月周期でＢＩ値を比較することが可能であり、また自身の長期的なＢＩ値の推移が一目で把握でき、異常な体調の変化が生じていないかを長期的な観点から把握しやすいものとなる。
【００４１】
ステップ１５でアップキー４１ｃ及びダウンキー４１ｄのどちらも押下されていない場合には、ステップ１７で電源スイッチ４１ａが押下されているかを判断する。ここで押されている場合にはステップ１２に進み電源はオフされ、押されていない場合にはステップ１４に戻り、現在選択されているグラフの表示を続ける。
【００４２】
また、ステップ１８から、月経期間データ入力モードが始まる。被判定者は、アップキー４１ｃもしくはダウンキー４１ｄを押下することにより、表示装置４２に表示される所望の日付けを選択する。ステップ１９では、被判定者により月経開始日キー４１ｅが押下されたかが判断され、押下されている場合には、ステップ２０において、ステップ１８で選択された日付けが月経開始日として記憶装置４４に記憶される。一方、ステップ１９でキーが押下されていない場合には、ステップ２１で、被判定者により電源スイッチ４１ａが押下されたかが判断され、押下されている場合には、ステップ１２において電源がオフにされ、入力は終了する。
【００４３】
以上、本発明の実施例として、ここでは表示するグラフの形態は二次元の棒グラフのものを説明したが、これに限らず折れ線グラフや立体的なグラフというように、グラフの表示形態を変更しても構わない。
【００４４】
また、体調に基づく期間の分割は必ずしもここで示した形態に限ることなく、数日ずれていたり、あるいは各期間が重なる日があっても構わない。
【００４５】
尚、ここではＢＩ値と共に体重も測定し、体重の変化に応じてＢＩ値を補正し、補正したＢＩ値をグラフに表示したり、補正したＢＩ値から体調を判定するものを説明したが、必ずしも体重を測定しＢＩ値を補正する形態に限る必要はなく、測定したＢＩ値を直接用いて、その推移により判定を行う形態としてもよい。また、上述した実施例は両足間のＢＩを測定するようにされたものであるが両手間もしくは手足間のＢＩを測定するようにされたものであってもよい。
【００４６】
【発明の効果】
以上説明したように、本発明のグラフ表示式婦人用体調管理装置では、簡単に測定が可能なＢＩに基づいて婦人の月周期で現れる体調を判定可能であり、その推移をグラフで表示するので、自分の身体が高温期と低温期の二相性を示して正常に変化しているかを簡単に把握でき、また、ＢＩ値の高値期と低値期に分かれて平均値を示すラインがグラフ上に表示されるので、各体調に即した判断が可能となり健康管理上有用なものとなる。
【００４７】
また本発明のグラフ表示式婦人用体調管理装置では、図７に示したように、縦軸のＢＩ値の設定が上側を低値とし下側を高値とした場合には、従来の基礎体温を測定している場合と同相の変化がグラフ上に現れるので、基礎体温の推移から体調の推移を判断していた人にとっても理解しやすいものとなる。
【００４８】
また本発明のグラフ表示式婦人用体調管理装置では、測定してから短時間で体調の推移を示すグラフが表示されるので、起床時に測定しても寝過ごす心配もない。
【図面の簡単な説明】
【図１】本発明に係る婦人用体調管理装置の実施例の外部構成を示す正面図である。
【図２】図１に示した婦人用体調管理装置の機能構成を示すブロック図である。
【図３】本発明の実施例における婦人用体調管理装置の手順を示すフローチャートである。
【図４】本発明に係る婦人の月周期で現れる体調変化の判定例を示す図である。
【図５】本発明の実施例における婦人用体調管理装置のグラフ表示例である。
【図６】本発明の実施例における婦人用体調管理装置の別グラフ表示例である。
【図７】本発明の実施例における婦人用体調管理装置の更に別グラフ表示例である。
【図８】本発明の実施例における婦人用体調管理装置の更に別グラフ表示例である。
【符号の説明】
１０    婦人用体調管理装置
２０    体重計付き生体電気インピーダンス計
２１ａ、２１ｂ  定電流印加用電極
２２ａ、２２ｂ  電圧測定用電極
２３    高周波定電流回路
２４    電圧測定回路
２５    体重測定装置
３０    電気ケーブル
４０    制御ボックス
４１    データ入力装置
４１ａ  電源スイッチ
４１ｂ  測定キー
４１ｃ  アップキー
４１ｄ  ダウンキー
４１ｅ  月経開始日キー
４１ｆ  設定キー
４１ｇ  グラフキー
４２    表示装置
４３    時計装置
４４    記憶装置
４５    ＣＰＵ
【図１】
0004087048.tif 000002
【図２】
0004087048.tif 000003
【図３】
0004087048.tif 000004
【図４】
0004087048.tif 000005
【図５】
0004087048.tif 000006
【図６】
0004087048.tif 000007
【図７】
0004087048.tif 000008
【図８】
0004087048.tif 000009